(57)【要約】【課題】データ通信を行う場合に、送信先で転送設定がなされていることによる送信元のユーザの操作負担を軽減すること。【解決手段】データ送信装置としてのＦＡＸ１１０は、送信先にデータ送信するための送信手段であるネットワーク装置１１６と、送信先で転送設定がされているか否かを判定する転送設定判定手段、転送設定判定手段で転送設定がされていると判定された場合に、データ送信を保留するデータ送信保留手段として機能するＣＰＵ１１１とを備えることを特徴とする。【選択図】図２
2014103542.tif 000002
【特許請求の範囲】
【請求項１】
送信先にデータ送信するための送信手段と、
前記送信先で転送設定がされているか否かを判定する転送設定判定手段と、
前記転送設定判定手段で前記転送設定がされていると判定された場合に、前記データ送信を保留するデータ送信保留手段と
を備えることを特徴とするデータ送信装置。
【請求項２】
前記データ送信するためのデータは、前記送信先における親展送付先を指定するための親展情報を有し、
前記データ送信保留手段は、前記親展情報が付加され、かつ、前記転送設定判定手段で前記転送設定がされていると判定された場合に、前記データ送信を保留すること
を特徴とする請求項１に記載のデータ送信装置。
【請求項３】
前記データ送信保留手段により保留された前記データ送信を再開する保留データ再開手段をさらに備えること
を特徴とする請求項１又は２に記載のデータ送信装置。
【請求項４】
所定時間が経過した場合に、前記データ送信の再開を判断するデータ送信再開判断手段をさらに備え、
前記保留データ再開手段は、前記データ送信再開判断手段が前記データ送信の再開を判断した場合に、前記データ送信保留手段により保留された前記データ送信を再開すること
を特徴とする請求項１又は２に記載のデータ送信装置。
【請求項５】
前記データ送信保留手段は、前記保留データ再開手段が前記データ送信を再開した場合に、前記転送設定判定手段で前記転送設定がされていると判定されたときは、前記データ送信を再度保留すること
を特徴とする請求項４に記載のデータ送信装置。
【請求項６】
前記データ送信のためのセッション確立プロトコルがＳＩＰであること
を特徴とする請求項１から５の何れか一項に記載のデータ送信装置。
【請求項７】
前記データ送信は、予め定められた条件に従ってデータを送信する条件付き送信であること
を特徴とする請求項１に記載のデータ送信装置。
【請求項８】
前記条件付き送信は、Ｆコード親展送信、Ｆコード中継依頼送信、Ｆコード掲示板通信又は暗号化送信であること
を特徴とする請求項７に記載のデータ送信装置。
【請求項９】
転送を許可する宛先である転送許可宛先を示す転送許可宛先リストを記憶する記憶手段と、
前記転送設定において設定されている転送宛先が、前記転送許可宛先リストで示される転送許可宛先と一致している場合には、前記転送宛先への前記データ送信を許可する転送許可宛先判定手段と、をさらに備え、
前記送信手段は、転送許可宛先判定手段で許可された場合には、前記転送宛先へ前記データ送信を行うこと
を特徴とする請求項１から８の何れか一項に記載のデータ送信装置。
【請求項１０】
前記転送許可宛先の入力を受け付ける入力手段をさらに備えること
を特徴とする請求項９に記載のデータ送信装置。
【請求項１１】
送信先にデータ送信するための送信手段と、
前記送信先で転送設定がされているか否かを判定する転送設定判定手段と、
前記転送設定判定手段で前記転送設定がされていると判定された場合に、前記データ送信を保留するデータ送信保留手段と
を備えることを特徴とする画像形成装置。
【請求項１２】
送信先にデータ送信するための送信過程と、
前記送信先で転送設定がされているか否かを判定する転送設定判定過程と、
前記転送設定判定過程で前記転送設定がされていると判定された場合に、前記データ送信を保留するデータ送信保留過程と
を有することを特徴とするデータ送信方法。
【発明の詳細な説明】
【技術分野】
【０００１】
本発明は、データ送信装置、画像形成装置及びデータ送信方法に関する。
【背景技術】
【０００２】
従来、データ通信を行う画像形成装置がＳＩＰ（Ｓｅｓｓｉｏｎ  Ｉｎｉｔｉａｔｉｏｎ  Ｐｒｏｔｏｃｏｌ）に従って呼制御を行う場合、送信側の画像形成装置と受信側の画像形成装置との間にＳＩＰサーバが備えられる。送信側の画像形成装置は、ＳＩＰサーバに対してリクエストメッセージを送ることにより、受信側の画像形成装置のＩＰアドレスを取得する。そして、送信側の画像形成装置は、取得されたＩＰアドレスを用いて、受信側の画像形成装置とセッションを確立する。
【０００３】
このような通信環境において、受信側の画像形成装置は、ＳＩＰサーバに転送設定を行うことができる。転送設定とは、例えば、受信側のユーザが外出中に、通常使用している画像形成装置ではなく、外出先の画像形成装置で自分宛ての画像データを受信したい場合、及び、受信側の画像形成装置がメモリフル等の理由で受信が不可能となり、近くにある別の画像形成装置を代替受信装置として利用する場合等、一時的に別の画像形成装置のＩＰアドレスを転送先としてＳＩＰサーバに登録することである。これにより、ＳＩＰサーバは、リクエストを行った送信側の画像形成装置に対して、転送先の画像形成装置のＩＰアドレスを通知する。
【０００４】
しかし、転送設定された宛先へ、送信側の画像形成装置からデータ通信を行った場合、送信側のユーザが意図していない画像形成装置に画像データが送信されてしまうため、セキュリティの観点で不都合が生じる。
【０００５】
そこで、従来の技術では、送信側の画像形成装置がＳＩＰサーバに問い合わせを行い、ＳＩＰサーバから転送設定が行われている通知を受け取った場合には、転送先の画像形成装置にデータ送信を行ってもよいか否かを、送信側のユーザに問い合わせる技術が提案されている（例えば、特許文献１を参照）。
【先行技術文献】
【特許文献】
【０００６】
【特許文献１】特開２０１１−２９８２０号公報
【発明の概要】
【発明が解決しようとする課題】
【０００７】
データ通信では、送信側の画像形成装置と受信側の画像形成装置との間で予め定められた条件を使用して通信を行う場合がある。例えば、ファクシミリ装置におけるＦコード親展通信の場合、受信側のファクシミリ装置でその装置を使用する複数のユーザ毎にＦコード親展Ｂｏｘが開設される。そして、送信側のユーザは、受信側のファクシミリ装置のＦコード親展Ｂｏｘを指定して送信することで、特定のユーザ宛てにファクシミリ通信を行うことができる。このように、データ通信では正常に送受信を行うため、送信側の画像形成装置と受信側の画像形成装置とで条件を合わせなければならない場合がある。
【０００８】
しかしながら、従来の技術では、転送の可否を送信側のユーザに問い合わせて許可されたとしても、一時的に転送先とされた画像形成装置に、本来の宛先である画像形成装置と同じ条件が設定されているとは限らないため、転送先の画像形成装置へデータが送信されても、条件不一致で通信エラーとなる場合がある。通信エラーとなった場合には、送信側のユーザは再度、条件付き送信操作を行うが、転送設定が解除されていない状態では、再び通信エラーとなり、送信側のユーザの操作負担が増加するといった問題がある。
【０００９】
そこで、本発明は、送信先で転送設定がなされていることによる送信元のユーザの操作負担を軽減することを目的とする。
【課題を解決するための手段】
【００１０】
本発明の一態様に係るデータ送信装置は、送信先にデータ送信するための送信手段と、前記送信先で転送設定がされているか否かを判定する転送設定判定手段と、前記転送設定判定手段で前記転送設定がされていると判定された場合に、前記データ送信を保留するデータ送信保留手段とを備えることを特徴とする。
【００１１】
また、本発明の一態様に係る画像形成装置は、送信先にデータ送信するための送信手段と、前記送信先で転送設定がされているか否かを判定する転送設定判定手段と、前記転送設定判定手段で前記転送設定がされていると判定された場合に、前記データ送信を保留するデータ送信保留手段とを備えることを特徴とする。
【００１２】
さらに、本発明の一態様に係るデータ送信方法は、送信先にデータ送信するための送信過程と、前記送信先で転送設定がされているか否かを判定する転送設定判定過程と、前記転送設定判定過程で前記転送設定がされていると判定された場合に、前記データ送信を保留するデータ送信保留過程とを有することを特徴とする。
【発明の効果】
【００１３】
本発明の一態様によれば、送信先で転送設定がなされていることによる送信元のユーザの操作負担を軽減することができる。
【図面の簡単な説明】
【００１４】
【図１】実施の形態１又は２における通信システムの構成を示す概略図である。
【図２】実施の形態１又は２に係るＦＡＸの構成を概略的に示すブロック図である。
【図３】実施の形態１における制御部の一例を概略的に示すブロック図である。
【図４】実施の形態１における送信ジョブ情報の一例を示す概略図である。
【図５】実施の形態１に係るＦＡＸにおいて、Ｆコード親展送信を行うための操作に関連して、操作表示装置に表示される画面の一例を示す概略図である。
【図６】実施の形態１において、ＳＩＰサーバを介して、ファクシミリ送信する場合のシーケンス図である。
【図７】実施の形態１において、ＳＩＰサーバを介して、ファクシミリ送信する際に、相手方のＦＡＸが、ＳＩＰサーバに転送設定を行っていた場合の第１の処理を示すシーケンス図である。
【図８】実施の形態１において、ＳＩＰサーバを介して、ファクシミリ送信する際に、相手方のＦＡＸが、ＳＩＰサーバに転送設定を行っていた場合の第２の処理を示すシーケンス図である。
【図９】実施の形態１に係るＦＡＸでの呼制御を示すフローチャートである。
【図１０】実施の形態２において、転送設定解除待ち状態となった送信ジョブの監視処理を示すフローチャートである。
【図１１】実施の形態２における制御部の一例を概略的に示すブロック図である。
【図１２】実施の形態２における転送許可宛先リストの構成を示す概略図である。
【図１３】実施の形態２に係るＦＡＸにおいて、転送許可宛先を設定するための操作に関連して、操作表示装置に表示される画面の一例を示す概略図である。
【図１４】実施の形態２に係るＦＡＸでの呼制御を示すフローチャートである。
【発明を実施するための形態】
【００１５】
実施の形態１．
（構成の説明）
図１は、ＳＩＰを使用してセッションを確立するファクシミリ装置を有する通信システム１００の構成を示す概略図である。通信システム１００は、ファクシミリ装置（以下、ＦＡＸという）１１０Ａ〜１１０Ｃ（各々を特に区別する必要がない場合には、ＦＡＸ１１０という）と、ＳＩＰサーバ１４０とを備える。ＦＡＸ１１０と、ＳＩＰサーバ１４０とは、ネットワーク１５０に接続されている。なお、図１の括弧内の符号は、実施の形態２における構成を示している。
【００１６】
ＦＡＸ１１０Ａには、ＦＡＸ番号として「０３−１１１１−１１１１」が、ＩＰアドレスとして「１１．１１．１１．１１」が割り当てられている。
ＦＡＸ１１０Ｂには、ＦＡＸ番号として「０３−１１１１−３３３３」が、ＩＰアドレスとして「１１．１１．１１．３３」が割り当てられている。
ＦＡＸ１１０Ｃには、ＦＡＸ番号として「０３−１１１１−４４４４」が、ＩＰアドレスとして「１１．１１．１１．４４」が割り当てられている。
【００１７】
本実施の形態においては、ＦＡＸ１１０Ａが送信側の装置であり、ＦＡＸ１１０Ｂが受信側の装置であり、ＦＡＸ１１０ＣがＦＡＸ１１０Ｂにより転送先の装置として指定されているものとする。
【００１８】
呼制御サーバとしてのＳＩＰサーバ１４０は、リダイレクトサーバ、プロキシサーバ、登録サーバ及びロケーションサーバから構成されるサーバ群の総称である。従って、ＳＩＰサーバ１４０は、ＦＡＸ１１０等のユーザ端末の登録管理、ユーザの認証、電話番号又はＦＡＸ番号からＩＰアドレスへの変換、呼制御シーケンスの制御及び接続先へのルーティング等を行う。
【００１９】
図２は、実施の形態１に係るＦＡＸ１１０の構成を概略的に示すブロック図である。ＦＡＸ１１０は、ＣＰＵ１１１と、ＲＯＭ１１２と、ＲＡＭ１１３と、読取装置１１４と、印刷装置１１５と、ネットワーク装置１１６と、操作表示装置１１７と、これらを接続するシステムバス１１８とを備える。なお、図２の括弧内の符号は、実施の形態２における構成を示している。
【００２０】
ＣＰＵ１１１は、中央処理装置である。ＣＰＵ１１１は、ファクシミリ装置を構成するハードウェアを制御するほか、ＲＯＭ１１２に記憶されているソフトウェアを実行する。例えば、ＣＰＵ１１１は、ＲＯＭ１１２に記憶されているソフトウェアを実行することで、図３に示されている制御部１２０を実現する。
ＲＯＭ１１２は、記憶装置であり、ＣＰＵ１１１によって実行されるソフトウェアであるプログラムを予め格納する。
ＲＡＭ１１３は、記憶装置であり、ＣＰＵ１１１によるプログラムの実行時に発生するデータを記憶する。
なお、ＲＯＭ１１２及びＲＡＭ１１３は、ＦＡＸ１１０での処理に必要な情報を記憶する記憶部（記憶手段）である。
【００２１】
読取装置１１４は、ＣＣＤ等を利用したスキャナ装置であり、原稿を読取り、ドットイメージデータに変換する。
印刷装置１１５は、感熱記録方式又は電子写真方式等のプリンタ装置であり、ファクシミリ通信で受信した画像データ等をハードコピーとして出力する。
ネットワーク装置１１６は、送信先にデータ送信するための送信手段及び送信元からデータ受信するための受信手段である。例えば、ネットワーク装置１１６は、Ｅｔｈｅｒｎｅｔ（登録商標）等のネットワークに接続可能なネットワークカードである。ＦＡＸ１１０は、ネットワーク装置１１６を介して、ＳＩＰサーバ１４０及び他のＦＡＸ１１０との間で通信を行う。
操作表示装置１１７は、ＦＡＸ１１０の状態等の各種情報を示す表示装置（液晶表示装置等）及び音響装置（スピーカ等）等の出力装置と、操作に必要な数字キー(テンキー)、スタートキー、ファンクションキー、カーソルキー及び決定キー等を備える入力装置とを備える。操作表示装置１１７は、ＦＡＸ１１０の表示部（表示手段）及び入力部（入力手段）を実現する。
【００２２】
図３は、実施の形態１における制御部の一例を概略的に示すブロック図である。制御部１２０は、システム制御部１２１と、操作表示制御部１２２と、読取制御部１２３と、印刷制御部１２４と、画像データ処理部１２５と、通信制御部１２６と、通信ジョブ管理部１２７と、レポート作成部１２８と、呼接続制御部１２９と、条件付き送信判定部１３０と、転送設定判定部１３１と、転送解除待ジョブ監視部１３２とを備える。
【００２３】
システム制御部１２１は、システム内における各資源の管理を行い、制御プログラムの起動及び調停を行うシステム制御手段である。
操作表示制御部１２２は、操作表示装置１１７を制御し、ユーザインターフェイスを実行する操作表示制御手段である。
読取制御部１２３は、読取装置１１４を制御し、原稿の読み取りに関する一連の動作を実行する読取制御手段である。
印刷制御部１２４は、印刷装置１１５を制御し、ファクシミリ受信画及びファクシミリ装置に関する各種帳票類を印刷する一連の動作を実行する印刷制御手段である。
画像データ処理部１２５は、ファクシミリ符号化データの圧縮及び伸長の処理を実行する画像データ処理手段である。
【００２４】
通信制御部１２６は、データ送信及びデータ受信を制御する通信制御手段である。例えば、通信制御部１２６は、ネットワーク装置１１６を制御し、他のＦＡＸ１１０との間でＩＴＵ−Ｔ勧告Ｔ．３８プロトコルを用いてファクシミリ伝送制御手順、及び、画像データの授受を実行する。
通信ジョブ管理部１２７は、通信ジョブを管理する通信ジョブ管理手段である。例えば、通信ジョブ管理部１２７は、操作表示装置１１７を介して、ユーザの操作により指示されたファクシミリ通信、及び、相手側ＦＡＸ１１０により発生したファクシミリ呼の到来に応じて行われるファクシミリ通信を管理又は実行するための通信ジョブの生成、末梢及び管理を行う。具体的には、通信ジョブ管理部１２７は、ＲＡＭ１１３に通信ジョブを管理するための情報を記憶させることで、通信ジョブの管理を行う。さらに、通信ジョブ管理部１２７は、通信ジョブを実行するため、プログラムの起動や調停を行う。
レポート作成部１２８は、ＦＡＸ１１０に関する各種帳票類を作成するレポート作成手段である。
【００２５】
呼接続制御部１２９は、データ送信のためのセッションを確立する呼接続制御手段である。例えば、呼接続制御部１２９は、ＳＩＰに従って、ＳＩＰサーバ１４０を介して、ファクシミリ通信を行うためのセッションを確立するためのプロトコル制御を行う。また、呼接続制御部１２９は、予め定められた場合に、データ送信を保留するデータ送信保留手段としても機能する。さらに呼接続制御部１２９は、保留されたデータ送信を再開する保留データ再開手段としても機能する。
条件付き送信判定部１３０は、データ送信が予め定められた条件に従ってデータを送信する条件付き送信であるか否かを判定する条件付き送信判定手段である。例えば、条件付き送信判定部１３０は、現在実行中の通信ジョブの通信種別を参照することで、条件付き送信であるか否かを判定する。条件付き送信判定部１３０が行う判定処理は、呼接続制御部１２９により利用される処理である。
転送設定判定部１３１は、データの送信先に転送設定がされているか否かを判定する転送設定判定手段である。例えば、転送設定判定部１３１は、ＳＩＰサーバ１４０へのＦＡＸ番号による接続要求に対し、受信側で転送設定されている応答を受けた場合には、データの送信先に転送設定がされていると判定する。転送設定判定部１３１が行う判定処理は、呼接続制御部１２９により利用される処理である。
転送解除待ジョブ監視部１３２は、所定時間が経過した場合に、保留されたデータ送信の再開を判断するデータ送信再開判断手段である。例えば、転送解除待ジョブ監視部１３２は、転送設定判定部１３１で受信側において転送設定されていると判定され、転送設定解除待ち状態となった通信ジョブの有無を確認する。そして、転送解除待ジョブ監視部１３２は、このような通信ジョブがある場合には、通信ジョブの状態を即時発呼待ち状態へ設定することで転送設定が解除されたか否かの確認が行えるようにする。なお、転送解除待ジョブ監視部１３２が行う確認処理は、ＦＡＸ１１０が待機状態の間、通信ジョブ管理部１２７により一定周期で呼び出される周期監視処理である。
【００２６】
図４は、実施の形態１に係るＦＡＸ１１０の通信ジョブ管理部１２７により管理される送信ジョブ情報の一例を示す概略図である。送信ジョブ情報は、通信ジョブ管理部１２７により管理される通信ジョブに含まれる送信ジョブを管理するための情報である。送信ジョブ情報１６０は、送信ジョブ状態情報１６０ａと、通信種別情報１６０ｂと、通信開始時刻１６０ｃと、相手先ＦＡＸ番号１６０ｄと、相手先ＩＰアドレス１６０ｅと、リダイヤル回数１６０ｆと、通信結果情報１６０ｇとを有する。なお、送信ジョブ情報１６０は、通信ジョブ管理部１２７により送信ジョブ毎に作成される。
【００２７】
送信ジョブ状態情報１６０ａは、送信ジョブの状態を示す情報である。送信ジョブ状態情報１６０ａは、例えば、即時発呼待ち状態、通信中状態、リダイヤル待ち状態又は転送設定解除待ち状態等を示す。
通信種別情報１６０ｂは、ファクシミリ通信の送信種別を示す情報である。通信種別情報１６０ｂは、例えば、リアルタイム送信、メモリ送信、同報送信、時刻指定送信、Ｆコード親展送信、暗号化送信又は中継依頼送信等、通信サービスの種類を示す。
通信開始時刻１６０ｃは、送信開始時刻が必要となる時刻指定送信又はリダイヤル待ち状態でのみ有効な情報で、発呼予定時刻を示す。
【００２８】
相手先ＦＡＸ番号１６０ｄは、相手先のＦＡＸ１１０のＦＡＸ番号を示す情報である。
相手先ＩＰアドレス１６０ｅは、ＳＩＰサーバ１４０によりアドレス解決された相手先ＦＡＸ１１０のＩＰアドレスを示す情報である。相手先ＩＰアドレス１６０ｅは、呼接続制御部１２９により格納される。送信ジョブ生成時は、アドレス解決されていないことを示すために「０．０．０．０」が設定される。
【００２９】
リダイヤル回数１６０ｆは、リダイヤル回数を示す情報である。リダイヤル回数１６０ｆは、例えば、送信ジョブ情報１６０の生成時は、０回に設定されており、通信終了時に通信ジョブ管理部１２７において再発呼送信が必要と判断された場合にインクリメントされる。なお、通信ジョブ管理部１２７は、再発呼送信の試行回数到達の判断を、このリダイヤル回数１６０ｆを基に実施する。
通信結果情報１６０ｇは、通信制御部１２６にて実行されたファクシミリ通信の結果を示す情報である。ファクシミリ通信の終了時に通信ジョブ管理部１２７により通信結果情報１６０ｇが参照され、送信ジョブの後処理が実行される。
【００３０】
（動作の説明）
図５（Ａ）〜（Ｉ）は、実施の形態１に係るＦＡＸ１１０において、Ｆコード親展送信を行うための操作に関連して、操作表示装置１１７に表示される画面の一例を示す概略図である。なお、本説明で使用する各種キーは、全て操作表示装置１１７に配置されているものとする。
【００３１】
図５（Ａ）に示されている画面Ｐ０１は、宛先指定の先頭画面である。ユーザの操作により送信原稿がセットされたことを読取装置１１４が検知することで、操作表示制御部１２２は、画面Ｐ０１を操作表示装置１１７に表示される。そして、画面Ｐ０１において、ユーザがカーソルキーを操作して、「宛先選択」を選択し、決定キーを押すことで、操作表示制御部１２２は、画面を宛先選択画面へ遷移させる。
【００３２】
図５（Ｂ）に示されている画面Ｐ０２は、宛先選択面面である。画面Ｐ０２において、ユーザがカーソルキーを操作して、短縮ダイヤル登録されている宛先を選択後、決定キーを押下することで、宛先の指定が完了し、操作表示制御部１２２は、画面を宛先指定の先頭画面に遷移させる。なお、操作表示装置１１７は、画面Ｐ０２において、テンキー(数字キー)を介して、ユーザから直接番号入力を受け付けてもよい。
【００３３】
図５（Ｃ）に示されている画面Ｐ０３は、宛先選択済みの宛先指定の先頭画面である。画面Ｐ０３において、ユーザが、Ｆコード親展送信を指定するため、カーソルキーを操作して「応用設定」を選択し、決定キーを押すことで、操作表示制御部１２２は、画面を応用設定選択画面に遷移させる。
【００３４】
図５（Ｄ）に示されている画面Ｐ０４は、応用設定選択画面である。ユーザがカーソルキーを操作して「Ｆコード親展送信」を選択し、決定キーを押すことで、操作表示制御部１２２は、画面を機能オン／オフ選択面面に遷移させる。
【００３５】
図５（Ｅ）に示されている画面Ｐ０５は、機能オン／オフ選択画面である。ユーザがカーソルキーを操作して「オン」を選択し、決定キーを押すことで、通信ジョブ管理部１２７は、Ｆコード親展送信機能を有効とし、操作表示制御部１２２は、画面をＦコード親展Ｂｏｘ番号指定画面に遷移させる。
【００３６】
図５（Ｆ）に示されている画面Ｐ０６は、Ｆコード親展Ｂｏｘ番号指定画面である。操作表示装置１１７は、テンキーを介して、ユーザからＦコード親展Ｂｏｘ番号の入力を受ける。図５（Ｇ）に示されている画面Ｐ０７は、Ｆコード親展Ｂｏｘ番号指定済みのＦコード親展Ｂｏｘ番号指定画面である。この画面Ｐ０７においてユーザが決定キーを押すことで、操作表示制御部１２２は、Ｆコード親展Ｂｏｘ番号を確定し、画面を応用設定選択画面に遷移させる。
【００３７】
図５（Ｈ）に示されている画面Ｐ０８は、応用設定選択画面である。ユーザが戻るキーを押すことで、操作表示制御部１２２は、画面を宛先指定の先頭画面に遷移させる。
【００３８】
図５（Ｉ）に示されている画面Ｐ０９は、宛先及びＦコード親展送信を指定済みの宛先指定の先頭画面である。この画面Ｐ０９において、ユーザがスタートキーを押すことで、呼接続制御部１２９は、Ｆコード親展送信処理を開始することができる。
なお、Ｆコード親展送信処理が行われる場合には、送信されるデータに、親展送付先である親展Ｂｏｘを指定するための親展情報であるＦコードが含まれる。
【００３９】
図６は、ＳＩＰサーバ１４０を介して、ＦＡＸ１１０ＡからＦＡＸ１１０Ｂへファクシミリ送信する場合のシーケンス図である。図６は、ＦＡＸ１１０Ｂが、ＳＩＰサーバ１４０に転送設定を行っていない場合のシーケンスを示す。
【００４０】
ＦＡＸ１１０Ａの呼接続制御部１２９は、送信先であるＦＡＸ１１０ＢのＦＡＸ番号「０３−１１１１−３３３３」を指定して接続を要求するＩＮＶＩＴＥリクエストを、ネットワーク装置１１６を介して、ＳＩＰサーバ１４０に送信する（Ｓ１０）。
【００４１】
ＳＩＰサーバ１４０は、指定されたＦＡＸ番号「０３−１１１１−３３３３」からＦＡＸ１１０ＢのＩＰアドレス「１１．１１．１１．３３」を特定し、ＦＡＸ１１０ＢへＩＮＶＩＴＥリクエストを送信する（Ｓ１１）。また、ＳＩＰサーバ１４０は、ＦＡＸ１１０Ａに、暫定的に１００Ｔｒｙｉｎｇレスポンスを返送し（Ｓ１２）、ＦＡＸ１１０Ｂに接続しようとしていることを通知する。
【００４２】
ネットワーク装置１１６を介して、ＳＩＰサーバ１４０からＩＮＶＩＴＥリクエストを受信したＦＡＸ１１０Ｂでは、通信制御部１２６が、ファクシミリ受信処理を開始するとともに、呼接続制御部１２９が、ネットワーク装置１１６を介して、呼び出し中であることを示す１８０ＲｉｎｇｉｎｇレスポンスをＳＩＰサーバ１４０に返送する（Ｓ１３）。
【００４３】
ＳＩＰサーバ１４０は、ＦＡＸ１１０Ｂから返送された１８０Ｒｉｎｇｉｎｇレスポンスを中継し、ＦＡＸ１１０Ａに送信する（Ｓ１４）。
【００４４】
ＦＡＸ１１０Ｂの通信制御部１２６は、ファクシミリ着信を開始するとともに、呼接続制御部１２９は、ネットワーク装置１１６を介して、２００ＯＫレスポンスをＳＩＰサーバ１４０に返送する（Ｓ１５）。
【００４５】
ＳＩＰサーバ１４０は、ＦＡＸ１１０Ｂから返送された２００ＯＫレスポンスを中継し、ＦＡＸ１１０Ａに送信する（Ｓ１６）。
【００４６】
ネットワーク装置１１６を介して、２００ＯＫレスポンスを受信したＦＡＸ１１０Ａでは、呼接続制御部１２９が、ネットワーク装置１１６を介して、２００ＯＫレスポンスを受信したことを示すＡＣＫをＦＡＸ１１０Ｂに対して送信する（Ｓ１７）。
【００４７】
ネットワーク装置１１６を介して、ＦＡＸ１１０ＢがＡＣＫを受信することにより、ＦＡＸ１１０ＡとＦＡＸ１１０Ｂとの間のセッションが確立する（Ｓ１８）。その後、ＩＴＵ−Ｔ勧告Ｔ．３８に準拠したリアルタイムのファクシミリ通信が行われる（Ｓ１９）。
【００４８】
ＦＡＸ１１０Ｂにおいてファクシミリ受信が終了すると、ＦＡＸ１１０Ｂの呼接続制御部１２９は、ネットワーク装置１１６を介して、メソッドＢＹＥをＦＡＸ１１０Ａに送信する（Ｓ２０）。
【００４９】
ネットワーク装置１１６を介して、メソッドＢＹＥを受信したＦＡＸ１１０Ａでは、呼接続制御部１２９が、メソッドＢＹＥに対する２００ＯＫレスポンスを、ネットワーク装置１１６を介して、ＦＡＸ１１０Ｂに返送する（Ｓ２１）。これにより、セッションが終了する。
【００５０】
図７は、ＳＩＰサーバ１４０を介して、ＦＡＸ１１０ＡからＦＡＸ１１０Ｂへファクシミリ送信する際に、ＦＡＸ１１０Ｂが、ＳＩＰサーバ１４０に転送設定を行っていた場合の第１の処理を示すシーケンス図である。図７では、予め定められた条件付き送信が行われないものとする。ここでは、ＳＩＰサーバ１４０への転送設定処理についての説明は省略する。
【００５１】
ＦＡＸ１１０Ａの呼接続制御部１２９は、送信先であるＦＡＸ１１０ＢのＦＡＸ番号「０３−１１１１−３３３３」を指定して接続を要求するＩＮＶＩＴＥリクエストを、ネットワーク装置１１６を介して、ＳＩＰサーバ１４０に送信する（Ｓ３０）。
【００５２】
ＳＩＰサーバ１４０は、指定されたＦＡＸ番号「０３−１１１１−３３３３」から転送先であるＦＡＸ１１０ＣのＩＰアドレス「１１．１１．１１．４４」を特定し、このＩＰアドレスを含む３０２ＭｏｖｅｄＴｅｍｐｏｒａｒｙレスポンスを、ＦＡＸ１１０Ａに送信する（Ｓ３１）。この場合、転送先に設定されているＦＡＸ１１０ＣのＩＰアドレス「１１．１１．１１．４４」が、ＦＡＸ１１０Ａに返送される。
【００５３】
ネットワーク装置１１６を介して３０２ＭｏｖｅｄＴｅｍｐｏｒａｒｙレスポンスを受信したＦＡＸ１１０Ａでは、呼接続制御部１２９が、ネットワーク装置１１６を介して、ＡＣＫをＳＩＰサーバ１４０に送信する（Ｓ３２）。
【００５４】
そして、ＦＡＸ１１０Ａの呼接続制御部１２９は、ネットワーク装置１１６を介して、再びＩＮＶＩＴＥメッセージをＳＩＰサーバ１４０に送信する（Ｓ３３）。このとき、呼接続制御部１２９は、宛先指定として、転送先のＩＰアドレス、言い換えると、ＦＡＸ１１０ＣのＩＰアドレス「１１．１１．１１．４４」を指定する。
【００５５】
ＳＩＰサーバ１４０は、ＦＡＸ１１０Ａから送信されたＩＮＶＩＴＥメッセージを中継して、転送先であるＦＡＸ１１０Ｃに送信する（Ｓ３４）。また、ＳＩＰサーバ１４０は、ＦＡＸ１１０Ａに、暫定的に１００Ｔｒｙｉｎｇレスポンスを返送し（Ｓ３５）、ＦＡＸ１１０Ｃに接続しようとしていることを通知する。
【００５６】
ネットワーク装置１１６を介して、ＳＩＰサーバ１４０からＩＮＶＩＴＥリクエストを受信したＦＡＸ１１０Ｃでは、通信制御部１２６がファクシミリ受信処理を開始するとともに、呼接続制御部１２９が、ネットワーク装置１１６を介して、呼び出し中であることを示す１８０ＲｉｎｇｉｎｇレスポンスをＳＩＰサーバ１４０に返送する（Ｓ３６）。
【００５７】
ＳＩＰサーバ１４０は、ＦＡＸ１１０Ｃから返送された１８０Ｒｉｎｇｉｎｇレスポンスを中継し、ＦＡＸ１１０Ａに送信する（Ｓ３７）。
【００５８】
ＦＡＸ１１０Ｃの通信制御部１２６は、ファクシミリ着信を開始するとともに、呼接続制御部１２９は、ネットワーク装置１１６を介して、２００ＯＫレスポンスをＳＩＰサーバ１４０に返送する（Ｓ３８）。
【００５９】
ＳＩＰサーバ１４０は、ＦＡＸ１１０Ｃから返送された２００ＯＫレスポンスを中継し、ＦＡＸ１１０Ａに送信する（Ｓ３９）。
【００６０】
ネットワーク装置１１６を介して、２００ＯＫレスポンスを受信したＦＡＸ１１０Ａでは、呼接続制御部１２９が、ネットワーク装置１１６を介して、２００ＯＫレスポンスを受信したことを示すＡＣＫをＦＡＸ１１０Ｃに対して送信する（Ｓ４０）。
【００６１】
ネットワーク装置１１６を介して、ＦＡＸ１１０ＣがＡＣＫを受信することにより、ＦＡＸ１１０ＡとＦＡＸ１１０Ｃとの間のセッションが確立する（Ｓ４１）。その後、ＩＴＵ−Ｔ勧告Ｔ．３８に準拠したリアルタイムのファクシミリ通信が行われる（Ｓ４２）。
【００６２】
ＦＡＸ１１０Ｃにおいてファクシミリ受信が終了すると、ＦＡＸ１１０Ｃの呼接続制御部１２９は、ネットワーク装置１１６を介して、メソッドＢＹＥをＦＡＸ１１０Ａに送信する（Ｓ４３）。
【００６３】
ネットワーク装置１１６を介して、メソッドＢＹＥを受信したＦＡＸ１１０Ａでは、呼接続制御部１２９が、メソッドＢＹＥに対する２００ＯＫレスポンスを、ネットワーク装置１１６を介して、ＦＡＸ１１０Ｃに返送する（Ｓ４４）。これにより、セッションが終了する。
【００６４】
図８は、ＳＩＰサーバ１４０を介して、ＦＡＸ１１０ＡからＦＡＸ１１０Ｂへファクシミリ送信する際に、ＦＡＸ１１０Ｂが、ＳＩＰサーバ１４０に転送設定を行っていた場合の第２の処理を示すシーケンス図である。図８では、予め定められた条件付き送信が行われるものとする。言い換えると、ＲＡＭ１１３に記憶されている送信ジョブ情報１６０において、通信種別情報１６０ｂが、予め定められた通信種別、例えば、Ｆコード親展送信を示すようになっているものとする。ここでも、ＳＩＰサーバ１４０への転送設定処理についての説明は省略する。
【００６５】
ＦＡＸ１１０Ａの呼接続制御部１２９は、送信先であるＦＡＸ１１０ＢのＦＡＸ番号「０３−１１１１−３３３３」を指定して接続を要求するＩＮＶＩＴＥリクエストを、ネットワーク装置１１６を介して、ＳＩＰサーバ１４０に送信する（Ｓ５０）。
【００６６】
ＳＩＰサーバ１４０は、指定されたＦＡＸ番号「０３−１１１１−３３３３」から転送先であるＦＡＸ１１０ＣのＩＰアドレス「１１．１１．１１．４４」を特定し、このＩＰアドレスを含む３０２ＭｏｖｅｄＴｅｍｐｏｒａｒｙレスポンスを、ＦＡＸ１１０Ａに送信する（Ｓ５１）。この場合、転送先に設定されているＦＡＸ１１０ＣのＩＰアドレス「１１．１１．１１．４４」が、ＦＡＸ１１０Ａに返送される。
【００６７】
ネットワーク装置１１６を介して３０２ＭｏｖｅｄＴｅｍｐｏｒａｒｙレスポンスを受信したＦＡＸ１１０Ａでは、呼接続制御部１２９が、ネットワーク装置１１６を介して、ＡＣＫをＳＩＰサーバ１４０に送信する（Ｓ５２）。
ここで、ＦＡＸ１１０Ａの転送設定判定部１３１は、相手先のＦＡＸ１１０Ｂが転送設定を行っていると判定して、ＲＡＭ１１３に記憶されている送信ジョブ情報１６０において、送信ジョブ状態情報１６０ａが転送設定解除待ち状態を示すようにする。そして、ＦＡＸ１１０Ａの呼接続制御部１２９は、データ送信を保留する。
【００６８】
図９は、ＦＡＸ１１０での呼制御を示すフローチャートである。なお、本フローは、送信原稿の読取処理が終了し、ファクシミリ伝送手順による送信を開始する際に実行される。
【００６９】
呼接続制御部１２９は、ユーザ操作により生成された送信ジョブ情報１６０を参照し、相手先ＦＡＸ番号１６０ｄに格納されているＦＡＸ番号を指定して、ネットワーク装置１１６を介して、ＳＩＰサーバ１４０に対して接続要求であるＩＮＶＩＴＥリクエストを送信する（Ｓ６０）。ここで、呼接続制御部１２９は、送信ジョブ情報１６０の送信ジョブ状態情報１６０ａが即時発呼待ち状態である場合に、この処理を行う。
【００７０】
次に、転送設定判定部１３１は、送信先のＦＡＸ１１０で転送設定がされているか否かを判定する（Ｓ６１）。例えば、転送設定判定部１３１は、ステップＳ６０の処理により送信されたＩＮＶＩＴＥリクエストの応答として、３０２ＭｏｖｅｄＴｅｍｐｏｒａｒｙレスポンスで転送先ＩＰアドレスが通知された場合には、送信先のＦＡＸ１１０に対して転送設定がされていると判定する。送信先のＦＡＸ１１０に対して転送設定がされていると判定された場合（Ｓ６１：Ｙｅｓ）は、処理はステップＳ６２に進み、送信先のＦＡＸ１１０に対して転送設定がされていると判定されなかった場合（Ｓ６１：Ｎｏ）は、処理はステップＳ６５に進む。なお、転送設定判定部１３１は、転送設定がされていると判定した場合には、３０２ＭｏｖｅｄＴｅｍｐｏｒａｒｙレスポンスで指定された転送先ＩＰアドレスを、送信ジョブ情報１６０の相手先ＩＰアドレス１６０ｅとして設定する。
【００７１】
ステップＳ６２では、条件付き送信判定部１３０は、現在実行中の送信ジョブが、予め定められた条件付き送信であるか否かを判定する（Ｓ６２）。例えば、条件付き送信判定部１３０は、現在実行中の送信ジョブの送信ジョブ情報１６０を参照し、通信種別情報１６０ｂとして設定されている送信種別を確認することで、予め定められた条件付き送信であるか否かを判定する。本実施の形態においては、通信種別情報１６０ｂとして設定されている送信種別がＦコード親展送信である場合に、予め定められた条件付き送信であると判定される。そして、予め定められた条件付き送信である場合（Ｓ６２：Ｙｅｓ）には、処理はステップＳ６３に進み、予め定められた条件付き送信ではない場合（Ｓ６２：Ｎｏ）には、処理はステップＳ６４に進む。
【００７２】
ステップＳ６３では、呼接続制御部１２９は、Ｆコード親展送信のための呼制御を一時保留する。そして、呼接続制御部１２９は、送信ジョブ情報１６０において、相手先ＩＰアドレス１６０ｅの初期化を行い、また、送信ジョブ状態情報１６０ａが転送設定解除待ち状態を示すようにする。
【００７３】
一方、ステップＳ６４では、呼接続制御部１２９は、送信ジョブ情報１６０の相手先ＩＰアドレス１６０ｅとして格納されているＩＰアドレスを指定して、ネットワーク装置１１６を介して、接続要求であるＩＮＶＩＴＥリクエストをＳＩＰサーバ１４０に送信する。
【００７４】
ステップＳ６５では、呼接続制御部１２９は、ステップＳ６０又はＳ６４の呼接続要求により、ファクシミリ通信のためのセッション確立に成功したか否かを判定する。セッションの確立が成功した場合（Ｓ６５：Ｙｅｓ）には、処理はステップＳ６６に進み、セッションの確立が成功しなかった場合（Ｓ６５：Ｎｏ）には、処理はステップＳ６８に進む。なお、呼接続制御部１２９は、セッションの確立が成功しなかった場合には、送信ジョブ情報１６０において、失敗理由を通信結果情報１６０ｇに格納する。
【００７５】
ステップＳ６６では、通信制御部１２６は、ＩＴＵ−Ｔ勧告Ｔ．３８に準拠したリアルタイムのファクシミリ通信を実行する。そして、通信制御部１２６は、送信ジョブ情報１６０において、その結果を通信結果情報１６０ｇとして格納する。
【００７６】
次に、呼接続制御部１２９は、ファクシミリ通信のために確立したセッションの解放処理を実行する（Ｓ６７）。そして、呼接続制御部１２９は、受信側のＦＡＸ１１０との間で確立されたセッションが解放されたことを確認すると、処理をステップＳ６８に進める。
【００７７】
ステップＳ６８では、通信制御部１２６は、送信ジョブ情報１６０を参照し、通信結果の表示、通信履歴情報の登録、及び、レポートの作成等のファクシミリ通信終了処理を実行する。
【００７８】
図１０は、転送設定解除待ち状態となった送信ジョブの監視処理を示すフローチャートである。なお、本フローは、ＦＡＸ１１０が通常待機状態の場合に、予め定められた間隔で周期的に実行されるものである。ここで、予め定められた間隔は、例えば、システムの時刻情報の分情報更新タイミングである。この間隔は、ユーザが設定できるようにされていてもよい。
【００７９】
転送解除待ジョブ監視部１３２は、実行中ではない全ての送信ジョブ情報１６０の送信ジョブ状態情報１６０ａを確認済みか否か判定する（Ｓ７０）。未確認の送信ジョブ情報１６０がある場合（Ｓ７０：Ｎｏ）は、処理はステップＳ７１に進む。一方、未確認の送信ジョブ情報１６０がない場合（Ｓ７０：Ｙｅｓ）は、本フローは終了される。
【００８０】
ステップＳ７１では、転送解除待ジョブ監視部１３２は、未確認の送信ジョブ情報１６０の中から一つの送信ジョブ情報１６０を特定して、特定された送信ジョブ情報１６０を判定対象の送信ジョブ情報１６０とする。
【００８１】
次に、転送解除待ジョブ監視部１３２は、判定対象の送信ジョブ情報１６０の送信ジョブ状態情報１６０ａを参照して、送信ジョブ状態情報１６０ａに設定されているジョブ状態が転送設定解除待ち状態であるか否かを判定する（Ｓ７２）。ジョブ状態が転送設定解除待ち状態である場合（Ｓ７２：Ｙｅｓ）には、処理はステップＳ７３に進み、ジョブ状態が転送設定解除待ち状態ではない場合（Ｓ７２：Ｎｏ）は、処理はステップＳ７０に戻る。
【００８２】
ステップＳ７３では、転送解除待ジョブ監視部１３２は、判定対象の送信ジョブ状態情報１６０ａの送信ジョブ状態情報１６０ａとして即時発呼待ち状態を設定する。なお、送信ジョブ状態情報１６０ａが即時発呼待ち状態となると、呼接続処理部１２９は、保留されていたデータ送信を再開する（図９のステップＳ６０を参照）。
【００８３】
以上のように、本フローチャートにより、転送設定解除待ち状態となって処理が保留された送信ジョブが再起動され、その呼制御処理にて転送設定が解除されたか否かの再確認が行われることになる。
【００８４】
以上のように、実施の形態１に係るＦＡＸ１１０は、予め定められた条件付き送信において、受信側にて転送設定が行われている場合には、受信側の転送設定が解除されるまで送信処理を一時保留状態とする。これにより、一時的に設定された転送先のＦＡＸ１１０に、本来の宛先であるＦＡＸ１１０と同じ条件が設定されていないことによる通信エラーを未然に防止することができる。従って、送信側ユーザの操作負担を増加させることなく、確実に条件付き送信を行うことができる。
【００８５】
実施の形態２．
（構成の説明）
図１に示されているように、実施の形態２における通信システム２００は、ＦＡＸ２１０Ａ〜２１０Ｃ（各々を特に区別する必要がない場合には、ＦＡＸ２１０という）と、ＳＩＰサーバ１４０とを備える。ＦＡＸ２１０と、ＳＩＰサーバ１４０とは、ネットワーク１５０に接続されている。実施の形態２における通信システム２００は、ＦＡＸ２１０において、実施の形態１における通信システム１００と異なっている。
【００８６】
図２は、実施の形態２に係るＦＡＸ２１０の構成を概略的に示すブロック図である。ＦＡＸ２１０は、ＣＰＵ１１１と、ＲＯＭ１１２と、ＲＡＭ１１３と、読取装置１１４と、印刷装置１１５と、ネットワーク装置１１６と、操作表示装置１１７と、これらを接続するシステムバス１１８とを備える。実施の形態２に係るＦＡＸ２１０は、ＲＯＭ１１２に記憶されているソフトウェアをＣＰＵ１１１が実行することで実現される制御部において、実施の形態１に係るＦＡＸ１１０と異なっている。
【００８７】
図１１は、実施の形態２における制御部の一例を概略的に示すブロック図である。制御部２２０は、システム制御部１２１と、操作表示制御部１２２と、読取制御部１２３と、印刷制御部１２４と、画像データ処理部１２５と、通信制御部１２６と、通信ジョブ管理部１２７と、レポート作成部１２８と、呼接続制御部１２９と、条件付き送信判定部１３０と、転送設定判定部１３１と、転送解除待ジョブ監視部１３２と、転送許可宛先判定部２３３とを備える。実施の形態２における制御部２２０は、転送許可宛先判定部２３３をさらに備える点において、実施の形態１における制御部１２０と異なっている。
【００８８】
転送許可宛先判定部２３３は、転送設定において転送先に指定されている宛先である転送宛先が、予めユーザにより設定された転送許可宛先に含まれているか否かを判定し、含まれている場合には、転送宛先へのデータ送信を許可する転送許可宛先判定手段である。転送許可宛先判定部２３３は、転送設定判定部１３１にて転送設定がされていると判断された場合に、呼接続制御部１２９により使用される。ここで、転送許可宛先判定部２３３は、ＲＯＭ１１２又はＲＡＭ１１３に記憶されている転送許可宛先リストを参照することにより、転送先に指定された宛先が予めユーザにより設定された転送許可宛先であるか否かを判定する。
【００８９】
図１２は、転送許可宛先リスト２６１の構成を示す概略図である。
転送許可宛先リスト２６１は、ｎ個の転送許可ＦＡＸ番号２６１−ｎを持つ配列データである。添え字のｎは、配列の要素番号を表しており、１から始まる整数である。転送許可ＦＡＸ番号２６１−ｎは、各々、転送先としてユーザからの転送許可を受けたＦＡＸ番号である。
【００９０】
（動作の説明）
図１３（Ａ）〜（Ｊ）は、実施の形態２に係るＦＡＸ２１０において、転送許可宛先を設定するための操作に関連して、操作表示装置１１７に表示される画面の一例を示す概略図である。なお、本説明で使用する各種キーは、全て操作表示装置１１７に配置されているものとする。
【００９１】
図１３（Ａ）に示されている画面Ｐ２１は、機能設定画面である。ＦＡＸ２１０が待機状態である場合に、操作表示装置１１７に通常表示される通常待機画面（図示せず）において、操作表示装置１１７がユーザの操作によるファンクションキーの押下を検知することで、操作表示制御部１２２は、画面Ｐ２１を操作表示装置１１７に表示させる。そして、画面Ｐ２１において、ユーザがカーソルキーを操作して「ファックス機能」を選択し、決定キーを押すことで、操作表示制御部１２２は、画面をファックス機能画面へ遷移させる。
【００９２】
図１３（Ｂ）に示されている画面Ｐ２２は、ファックス機能画面である。画面Ｐ２２において、ユーザがカーソルキーを操作して「宛先設定」を選択し、決定キーを押すことで、操作表示制御部１２２は、画面を宛先設定画面へ遷移させる。
【００９３】
図１３（Ｃ）に示されている画面Ｐ２３は、宛先設定画面である。画面Ｐ２３において、ユーザがカーソルキーを操作して「転送許可宛先指定」を選択し、決定キーを押すことで、操作表示制御部１２２は、画面を転送許可宛先指定画面へ遷移させる。
【００９４】
図１３（Ｄ）に示されている画面Ｐ２４は、転送許可宛先指定画面である。画面Ｐ２４において、ユーザがカーソルキーを操作して「新規宛先追加」を選択し、決定キーを押すことで、操作表示制御部１２２は、画面を転送許可宛先追加画面へ遷移させる。
【００９５】
図１３（Ｅ）に示されている画面Ｐ２５は、転送許可宛先追加画面である。画面Ｐ２５において、ユーザは、テンキーにより転送を許可するＦＡＸ番号を入力する。ここでは、ユーザは、ＦＡＸ番号「０３−１１１１−４４４４」を入力したものとする。
【００９６】
図１３（Ｆ）に示されている画面Ｐ２６は、転送を許可するＦＡＸ番号が入力済みの転送許可宛先追加画面である。画面Ｐ２６において、ユーザが決定キーを押すことで、操作表示制御部１２２は、入力されたＦＡＸ番号を転送許可宛先として転送許可宛先リスト２６１に新規に追加登録するとともに、画面を新規追加済みの転送許可宛先指定画面へ遷移させる。
【００９７】
図１３（Ｇ）に示されている画面Ｐ２７は、新規宛先追加済みの転送許可宛先指定画面である。画面Ｐ２７において、ユーザが戻るキーを押すことで、操作表示制御部１２２は、画面を宛先設定画面へ遷移させる。
【００９８】
図１３（Ｈ）に示されている画面Ｐ２８は、宛先設定画面である。画面Ｐ２８において、ユーザが戻るキーを押すことで、操作表示制御部１２２は、画面をファックス機能画面へ遷移させる。
【００９９】
図１３（Ｉ）に示されている画面Ｐ２９は、ファックス機能画面である。画面Ｐ２９において、ユーザが戻るキーを押すことで、操作表示制御部１２２は、画面を機能設定画面へ遷移させる。
【０１００】
図１３（Ｊ）に示されている画面Ｐ３０は、機能設定画面である。画面Ｐ３０において、ユーザが戻るキーを押すことで、操作表示制御部１２２は、画面を通常待機画面へ遷移させる。
【０１０１】
図１４は、ＦＡＸ２１０での呼制御を示すフローチャートである。なお、本フローは、送信原稿の読取処理が終了し、ファクシミリ伝送手順による送信を開始する際に実行される。また、本フローにおいて、図９に示されているフローの処理と同様の処理については、図９と同じ符号が付されている。
【０１０２】
図１４のステップＳ６０からＳ６２までの処理は、図９のステップＳ６０からＳ６２までの処理と同様である。但し、ステップＳ６２において、予め定められた条件付き送信である場合（Ｓ６２：Ｙｅｓ）には、処理はステップＳ８０に進む。
【０１０３】
ステップＳ８０では、転送許可宛先判定部２３３は、転送許可宛先リスト２６１に登録されている複数の転送許可宛先の中に転送先に指定された宛先と一致する宛先が存在するか否かを判定する。そして、転送許可宛先判定部２３３は、転送許可宛先リスト２６１に登録されている複数の転送許可宛先の中に転送先に指定された宛先と一致する宛先が存在する場合には、転送送信を許可すると判断する。例えば、転送許可宛先判定部２３３は、呼接続制御部１２９に指示することで、転送許可宛先リスト２６１に登録されている複数の転送許可宛先（ＦＡＸ番号）に対応するＩＰアドレスを取得する。具体的には、呼接続制御部１２９は、転送許可宛先リスト２６１に登録されている転送許可宛先を先頭から順次指定して、アドレス解決のためにＳＩＰサーバ１４０に対して、ネットワーク装置１１６を介して、ＩＮＶＩＴＥリクエストを送信する。そして、転送許可宛先判定部２３３は、ＳＩＰサーバ１４０から応答レスポンスとして返送された宛先ＩＰアドレスと、ステップＳ６１において相手先ＩＰアドレス１６０ｅとして設定された転送先ＩＰアドレスとが一致するか否かを判定する。なお、呼接続制御部１２９は、このような場合、セッションの確立を回避するため、２００ＯＫ（例えば、図６のステップＳ１６を参照）に対するＡＣＫの返信を行わない。または、呼接続制御部１２９は、相手先のＩＰアドレスが取得できた時点で、ＣＡＮＣＥＬリクエストを送信する。転送許可宛先判定部２３３は、以上のような処理を、転送許可宛先リスト２６１に登録されている全てのＦＡＸ番号に対して行い、何れか一つでも一致した場合に転送許可と判定する。そして、転送許可と判断された場合（Ｓ８０：Ｙｅｓ）は、処理はステップＳ６４に進み、転送許可と判断されなかった場合（Ｓ８０：Ｎｏ）は、処理はステップＳ６３に進む。
【０１０４】
以上のように、実施の形態２に係るＦＡＸ２１０によれば、条件付き送信において、受信側にて転送設定が行われていた場合であっても、予め設定された転送許可宛先リスト２６１を参照して、転送送信を許可することができる。これにより、送信側のユーザが宛先に指定したＦＡＸ２１０と、転送先に指定されたＦＡＸ２１０とに同じ条件が設定されていることが予めわかっている場合には、転送設定が解除されるまで待つことなく条件付き送信が実行される。このため、ファクシミリデータの授受に無駄な時間を費やすことがなくなるという効果が得られる。
【０１０５】
以上に記載された実施の形態１及び２においては、予め定められた条件付き送信として、Ｆコード親展送信を例に説明を行ったが、予め定められた条件付き送信は、Ｆコード中継依頼送信、Ｆコード掲示板通信又は暗号化送信等であってもよい。
【０１０６】
以上に記載された実施の形態１及び２においては、送信ジョブが予め定められた条件付き送信であるか否かを判断しているが、このような判断を省略することもできる。言い換えると、送信ジョブが予め定められた条件付き送信ではない場合でも、転送設定がされているときには、データ送信を保留することができる。
【０１０７】
以上に記載された実施の形態１及び２においては、条件付き送信判定部１３０は、送信ジョブ情報１６０を参照することで、データ送信が予め定められた条件付き送信であるか否かを判定しているが、このような例に限定されるものではない。例えば、条件付き送信判定部１３０は、送信されるデータに、Ｆコード等の予め定められた情報が含まれるか否かにより、データ送信が予め定められた条件付き送信であるか否かを判定してもよい。
【０１０８】
以上に記載した実施の形態１及び２においては、本発明をセッション確立プロトコルとしてＳＩＰを使用したＦＡＸに適用した例を説明したが、本発明は、転送設定されていることが判別可能なセッション確立プロトコルを使用した条件付き通信を行う複合機及びファクシミリ装置等を含む、画像形成装置又はデータ送信装置に適用可能である。
【符号の説明】
【０１０９】
１００，２００  通信システム、  １１０，２１０  ファクシミリ装置、  １１１  ＣＰＵ、  １１２  ＲＯＭ、  １１３  ＲＡＭ、  １１４  読取装置、  １１５  印刷装置、  １１６  ネットワーク装置、  １１７  操作表示装置、  １１８  システムバス、  １２０，２２０  制御部、  １２１  システム制御部、  １２２  操作表示制御部、  １２３  読取制御部、  １２４  印刷制御部、  １２５  画像データ処理部、  １２６  通信制御部、  １２７  通信ジョブ管理部、  １２８  レポート作成部、  １２９  呼接続制御部、  １３０  条件付き送信判定部、  １３１  転送設定判定部、  １３２  転送解除待ジョブ監視部、  ２３３  転送許可宛先判定部、  １４０  ＳＩＰサーバ。
【図１】
2014103542.tif 000003
【図２】
2014103542.tif 000004
【図３】
2014103542.tif 000005
【図４】
2014103542.tif 000006
【図５】
2014103542.tif 000007
【図６】
2014103542.tif 000008
【図７】
2014103542.tif 000009
【図８】
2014103542.tif 000010
【図９】
2014103542.tif 000011
【図１０】
2014103542.tif 000012
【図１１】
2014103542.tif 000013
【図１２】
2014103542.tif 000014
【図１３】
2014103542.tif 000015
【図１４】
2014103542.tif 000016